(57)【要約】【課題】排水のたびに排水管路の掃除区域を自動洗浄でき、これにより人手による定期的な掃除作業を省略すると共に、長期に亘って排水管路内をヌメリのないクリーンな状態に保つこと。【解決手段】浴室や洗面室の排水孔８に通じる排水経路の一部に水Ｗを一時的に溜める水溜部５を設け、水溜部５内に、上記排水孔８からの水流により浮沈・回転等の動作をして排水経路内の掃除区域となる内壁部分に摩擦・衝突することで該内壁部分に付着したヌメリＡを除去するための浮遊掃除体２を収納すると共に、浮遊掃除体２を上記掃除区域に止めるための係止手段を設けた排水管路の掃除構造である。【選択図】図１
2008050918.tif 000002
【特許請求の範囲】
【請求項１】
浴室や洗面室の排水孔に通じる排水経路の一部に水を一時的に溜める水溜部を設け、水溜部内に、上記排水孔からの水流により浮沈・回転等の動作をして排水経路内の掃除区域となる内壁部分に摩擦・衝突することで該内壁部分に付着したヌメリを除去するための浮遊掃除体を収納すると共に、浮遊掃除体を上記掃除区域に止めるための係止手段を設けたことを特徴とする排水経路の掃除構造。
【請求項２】
上記水溜部は、排水孔に通じる水封室と、水封室と区画されて排水経路の外部に通じる排水室と、水封室と排水室とを連通させる連通部とを備えた排水トラップで構成され、上記水封室内に浮遊掃除体を収納すると共に、浮遊掃除体の最大外径寸法を上記連通部の開口寸法よりも大きく設定することで連通部が浮遊掃除体の係止手段を兼ねることを特徴とする請求項１記載の排水経路の掃除構造。
【請求項３】
上記浮遊掃除体の表面をディンプル状あるいは起毛状に形成したことを特徴とする請求項１又は２記載の排水経路の掃除構造。
【発明の詳細な説明】
【技術分野】
【０００１】
本発明は、排水経路の掃除構造に関し、詳しくは人手による定期的な掃除作業を省略できるようにする技術に関するものである。
【背景技術】
【０００２】
浴室や洗面台などの排水孔には排水トラップが取り付けられ、その下流に排水管が接続されて、雑排水が排出されるようになっている。
【０００３】
従来の排水トラップは、例えば上方に開口し、側方に排水口を備えた略Ｌ形のトラップ本体内に水溜部を形成し、上方からの排水を水溜部に溜め、水溜部からのオーバーフロー水を側方の排水口へ排出するようにした構造が知られている（例えば、特許文献１参照）。
【０００４】
ところで、排水トラップの内壁部分には水垢、汚染物質などのヌメリが付着して、排水性の低下や悪臭発生の原因となる。このため、人が定期的にトラップ本体の内壁部分を掃除する必要がある。一般には、トラップ本体内に細長い掃除具を挿入して内壁部分に付着したヌメリを掻き落とすようにしているため、煩わしい掃除作業に手間がかかるという問題がある。
【０００５】
なお、排水トラップ内の清掃方法として、溶剤薬水を用いて汚れを分解する方法もあるが、この方法では清掃効果に限界があり、しかも排水トラップの内壁を腐蝕させたり、環境に対する二次汚染を招くといった問題がある。
【特許文献１】特開平７−２３８５７９号公報
【発明の開示】
【発明が解決しようとする課題】
【０００６】
本発明は上記の従来の問題点に鑑みて発明したものであって、排水のたびに排水管路の掃除区域を自動洗浄でき、これにより人手による定期的な掃除作業を省略できると共に、長期に亘って排水管路内をヌメリのないクリーンな状態に保つことができる排水管路の掃除構造を提供することを課題とするものである。
【課題を解決するための手段】
【０００７】
前記課題を解決するために本発明に係る排水経路の掃除構造は、浴室や洗面室の排水孔８に通じる排水経路の一部に水Ｗを一時的に溜める水溜部５を設け、水溜部５内に、上記排水孔８からの水流により浮沈・回転等の動作をして排水経路内の掃除区域となる内壁部分に摩擦・衝突することで該内壁部分に付着したヌメリＡを除去するための浮遊掃除体２を収納すると共に、浮遊掃除体２を上記掃除区域に止めるための係止手段を設けたことを特徴としている。
【０００８】
このような構成とすることで、排水孔８からの排水の水流によって水溜部５内の浮遊掃除体２が浮沈したり回転したりして、排水トラップ１の内壁部分に摩擦・衝突することで、衝突による振動と摩擦作用により、該内壁部分に付着している水垢、汚染物質などのヌメリＡが剥がされて水流に乗って排出される。これにより、排水のたびに排水管路の掃除区域が自動的に清掃されるので、人手による定期的な掃除の手間をなくすことができる。しかも係止手段によって浮遊掃除体２が外部に排出されないため、長期に亘って浮遊掃除体２によるヌメリ付着防止効果が働くようになる。
【０００９】
また、上記水溜部５は、排水孔８に通じる水封室６と、水封室６と区画されて排水経路の外部に通じる排水室７と、水封室６と排水室７とを連通させる連通部２０とを備えた排水トラップ１で構成され、上記水封室６内に浮遊掃除体２を収納すると共に、浮遊掃除体２の最大外径寸法Ｄを上記連通部２０の開口寸法ｄよりも大きく設定することで連通部２０が浮遊掃除体２の係止手段を兼ねるのが好ましく、この場合、排水時には浮遊掃除体２が収納された水封室６において排水の水流が速まり、排水トラップ１内の掃除効果が高められると共に、排水トラップ１の連通部２０を利用して浮遊掃除体２を掃除区域に止めることができるので、排水トラップ１と別部材の係止手段を別途設ける必要がなく、係止手段の構造を簡易化できるようになる。
【００１０】
また、上記浮遊掃除体２の表面をディンプル状あるいは起毛状に形成するのが好ましく、この場合、浮遊掃除体２と掃除区域の内壁部分との摩擦度が高まり、掃除効果をより高めることができる。
【発明の効果】
【００１１】
本発明は、排水経路の一部の水溜部内に、排水孔からの水流により浮沈・回転等の動作をして排水経路内の掃除区域となる内壁部分に摩擦・衝突することで該内壁部分に付着したヌメリを除去するための浮遊掃除体を収納することにより、排水のたびに排水管路の掃除区域が浮遊掃除体によって清掃されるので、人手による定期的な掃除作業が省略可能となる。しかも、係止手段によって浮遊掃除体を水溜部の掃除区域に止めることにより、長期に亘って排水管路内にカビや細菌がはびこるのを防止でき、悪臭の発生を防いで、ヌメリのないクリーンな状態を保つことができるものである。
【発明を実施するための最良の形態】
【００１２】
以下、本発明を添付図面に示す実施形態に基いて説明する。
【００１３】
図１は、浴室洗い場の排水孔８に取り付けられる排水トラップ１の掃除構造を例示する。
【００１４】
この排水トラップ１は、上方に開口し、側方に排水口３を備えた略Ｌ筒形のトラップ本体１ａ内に水Ｗを一時的に溜める水溜部５が形成される。本例ではトラップ本体１ａの底部に上方に開口した大径円筒部４を立設し、この大径円筒部４内を水溜部５としている。さらに水溜部５内には上から小径円筒部１４が差込まれ、小径円筒部１４の内側を排水孔８に通じる水封室６とし、外側を排水口３に通じる排水室７としている。小径円筒部１４の下端には、水封室６と排水室７とを互いに連通させる連通部２０が形成されており、上方からの排水を水封室６に溜め、排水室７からのオーバーフロー水を側方の排水口３へ排出する構造となっている。なお、図１中の９、１０は浴室洗い場床を挟持する取付環及び締め付けリング、１１は気密を保持するパッキン、１２は着脱自在なヘアーキャッチャー、１３は排水管、１５は浴槽側排水管である。
【００１５】
ここで本発明においては、排水トラップ１の水封室６内に浮遊掃除体２が浸漬されている。この浮遊掃除体２は、排水孔８からの水流により浮沈・回転等の動作をして排水経路内の掃除区域となる内壁部分に摩擦・衝突することで該内壁部分に付着したヌメリＡを除去するためのものである。浮遊掃除体２の比重は例えば、１．０〜１．５程度とされ、水中を自由に浮き沈みできるものであればよく、材質は特に問わない。浮遊掃除体２の形状は、一端側が大径部２ａ、他端側が小径部２ｂとなった円錐形状に形成されていると共に水流の抵抗が大径部２ａに大きくかかるように、浮遊掃除体２の重心を小径部２ｂ寄りに設けて、大径部２ａを上向き姿勢で維持できるようにしている。さらに掃除効果を高めるために浮遊掃除体２の表面全体に起毛状突起あるいはディンプル状の窪みを設けるのが望ましい。
【００１６】
さらに、浮遊掃除体２を掃除区域である水封室６内部に止まるようにするための係止手段を備えている。本例では、浮遊掃除体２の最大外径寸法Ｄを連通部２０の開口寸法ｄよりも大きく設定することで、連通部２０が浮遊掃除体２の係止手段として機能している。これにより浮遊掃除体２は連通部２０を通り抜けできずに水封室６内に止まるようになり、水封室６内面及び水封室６下方のトラップ本体１ａの底面部分が、浮遊掃除体２による掃除区域となっている。
【００１７】
しかして、上記構成の排水トラップ１は、浴室洗い場の排水孔８に取付けられており、矢印Ｂ方向からの排水が水溜部５に溜められることで水封室６は水封される。さらに排水室７でオーバーフローした排水は排水口３から矢印Ｄ方向に排出される。
【００１８】
ここで、排水孔８からの排水の水流によって図１の仮想線で示すように浮遊掃除体２が浮沈したり回転したりして、浮遊掃除体２の表面が排水トラップ１の内壁部分（水封室６の内面、水封室６下方のトラップ本体１ａの底面部分）に摩擦・衝突することで、衝突による振動と摩擦作用により、該内壁部分に付着している水垢、汚染物質などのヌメリＡが剥がされて水流に乗って排水室７から排水口３へと排出される。これにより、排水トラップ１の内壁部分が自動的に清掃されるので、人手による定期的な掃除の手間をなくすことができる。しかも連通部２０が浮遊掃除体２を水封室６に止めるための係止手段を兼ねているので、排水のたびに浮遊掃除体２によるヌメリ付着防止効果が働くようになり、長期にわたって排水トラップ１の溜水を常に流れ易くして排水性が向上すると共に、排水トラップ１内にカビや細菌がはびこるのを防止でき、悪臭の発生を防いで、ヌメリＡのないクリーンな状態を保つことができる。
【００１９】
さらに、大きな容積の水封室６に浮遊掃除体２を収納することで、排水孔８からの排水量が増えてもこれに対応できると共に、浮遊掃除体２の存在によって排水の水流が速まり、矢印Ｃ方向に向かって排水室７以降へ排水されることにより、排水室７の内壁部分が早い水流によってクリーンに保たれるようになり、結果的に、排水トラップ１全体の掃除効果が高められるようになる。
【００２０】
また本例では、浮遊掃除体２を円錐形状とし且つ大径部２ａが上向きとなるように重心位置を偏心させるようにしたので、上からの排水による水の抵抗が常に大径部２ａに作用して、浮遊掃除体２の回転や潜水浮上の動きが活発となり、これに伴い排水トラップ１の内壁部分に衝突する回数や摩擦度が増加して、ヌメリ除去効果が一層高められるものであり、そのうえ、浮遊掃除体２自体の汚れも水流によって除去されやすくなり、結果、排水トラップ１内及び浮遊掃除体２の両方を衛生的に保つことができるようになる。
【００２１】
さらに、水封室６と排水室７とを連通させる連通部２０が浮遊掃除体２の係止手段を兼ねているので、係止手段の構造を簡易化でき、しかも表面にディンプル状あるいは起毛状をした浮遊掃除体２を排水トラップ１内に浸漬しておくだけでよいので、環境にもやさしい掃除構造となる。しかも排水トラップ１の構造設計を変える必要もないため、既存の排水トラップ１の掃除にも用いることができる利点もある。
【００２２】
前記実施形態では連通部２０の開口寸法ｄよりも浮遊掃除体２の最大外径寸法Ｄ（＞ｄ）を大きくすることで、連通部２０を浮遊掃除体２の係止手段として機能させるようにしたが、勿論これに限らず、例えば紐やワイヤなどの係止手段を用いて浮遊掃除体２を排水トラップ１の構成部品に結びつけて、浮遊掃除体２が水封室６から流出しないようにすることも可能であり、この場合、浮遊掃除体２の大きさは連通部２０の開口寸法ｄよりも小さくてもよく、浮遊掃除体２の寸法制限をなくすことができる。
【００２３】
また浮遊掃除体２の形状は円錐形状に限らず、例えば直円筒形状、両端が大径部、中央が小径部となった瓢箪形状、或いは、球形状など、適宜設計変更自在である。また、浮遊掃除体２の数は１個に限らず、例えば、２個以上の浮遊掃除体２を紐などで繋いだものであってもよい。
【００２４】
本発明の排水管路の掃除構造は、浴室洗い場の排水孔８に取り付けられる排水トラップ１以外に、浴槽の排水孔に取り付けられる浴槽トラップ、さらには洗面台の排水孔に取り付けられる洗面排水トラップなどに広く適用可能である。
【図面の簡単な説明】
【００２５】
【図１】本発明の排水トラップの掃除構造の一実施形態を説明する側面断面図である。
【符号の説明】
【００２６】
１  排水トラップ
２  浮遊掃除体
５  水溜部
６  水封室
７  排水室
８  排水孔
２０  連通部
Ａ  ヌメリ
Ｄ  浮遊掃除体の最大外径寸法
ｄ  連通部の開口寸法
Ｗ  水
【図１】
2008050918.tif 000003